【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、
前記駆動基板に対向する対向基板と、
前記駆動基板と前記対向基板との間隙に充填された液晶とを有し、
前記駆動基板に、前記各ゲート線に対応するように第１の方向に延伸するストライプ形状の第１遮光パターンと、前記第１遮光パターン上に形成された第１平坦化層と、前記第１平坦化層上に形成され、前記各信号線に対応するように前記第１の方向と直交する第２の方向に延伸するストライプ形状の第２遮光パターンとを含む遮光膜が形成されている
液晶パネル。
【請求項２】
前記第１遮光パターン及び前記第２遮光パターンは、単一の金属からなる単層膜または複数の金属を用いた多層膜からなり、
前記第１遮光パターンの総膜厚ｈＡ及び前記第２遮光パターンの総膜厚ｈＢは、それぞれ１００ｎｍ≦ｈＡ≦１０００ｎｍ、１００ｎｍ≦ｈＢ≦１０００ｎｍを満たす
請求項１に記載の液晶パネル。
【請求項３】
前記第１平坦化層は単一の誘電体膜または複数の誘電体を用いた多層膜からなり、
前記第１平坦化層の総膜厚ｔＡはｈＡ＋５０ｎｍ≦ｔＡ≦ｈＡ+３００ｎｍを満たす
請求項２に記載の液晶パネル。
【請求項４】
前記第２遮光パターンを被覆して、単一の誘電体膜または複数の誘電体を用いた多層膜からなる第２平坦化層が形成されており、
前記第２平坦化層の総膜厚ｔＢはｈＢ＋４００ｎｍ≦ｔＢ≦ｈＢ+１２００ｎｍを満たす
請求項２に記載の液晶パネル。
【請求項５】
前記第１遮光パターンと前記第２遮光パターンは同電位となるよう電気的に接続されている
請求項１に記載の液晶パネル。
【請求項６】
前記対向基板に、前記第１の方向に延伸するストライプ形状の第１対向側遮光パターンと、前記第１対向側遮光パターン上に形成された第１対向側平坦化層と、前記第１対向側平坦化層上に形成され、前記第２の方向に延伸する第２対向側遮光パターンとを含む対向側遮光膜が形成されている
請求項１に記載の液晶パネル。
【請求項７】
マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、
前記駆動基板に対向する対向基板と、
前記駆動基板と前記対向基板との間隙に充填された液晶とを有し、
前記対向基板に、前記各ゲート線に対応するように第１の方向に延伸するストライプ形状の第１対向側遮光パターンと、前記第１対向側遮光パターン上に形成された第１対向側平坦化層と、前記第１対向側平坦化層上に形成され、前記各信号線に対応するように前記第１の方向と直交する第２の方向に延伸するストライプ形状の第２対向側遮光パターンとを含む対向側遮光膜が形成されている
液晶パネル。
【請求項８】
前記第１対向側遮光パターン及び前記第２対向側遮光パターンは、単一の金属からなる単層膜または複数の金属を用いた多層膜からなり、
前記第１対向側遮光パターンの総膜厚ｈＣ及び前記第２対向側遮光パターンの総膜厚ｈＤは、それぞれ２０ｎｍ≦ｈＣ≦３００ｎｍ、２０ｎｍ≦ｈＤ≦３００ｎｍを満たす
請求項７に記載の液晶パネル。
【請求項９】
前記第１対向側平坦化層は単一の誘電体膜または複数の誘電体を用いた多層膜からなり、
前記第１対向側平坦化層の総膜厚ｔＣはｈＣ＋５０ｎｍ≦ｔＣ≦ｈＣ+３００ｎｍを満たす
請求項８に記載の液晶パネル。
【請求項１０】
前記第２対向側遮光パターンを被覆して、単一の誘電体膜または複数の誘電体を用いた多層膜からなる第２対向側平坦化層が形成されており、
前記第２対向側平坦化層の総膜厚ｔＤはｈＤ＋４００ｎｍ≦ｔＤ≦ｈＤ+１２００ｎｍを満たす
請求項８に記載の液晶パネル。
【請求項１１】
前記第１対向側遮光パターンと前記第２対向側遮光パターンは同電位となるよう電気的に接続されている
請求項７に記載の液晶パネル。
【請求項１２】
光源と、
前記光源から出射された光の偏光方向を規制する偏光子と、
前記偏光子を透過した偏光を変調する液晶パネルと
を有し、
前記液晶パネルが、
マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、
前記駆動基板に対向する対向基板と、
前記駆動基板と前記対向基板との間隙に充填された液晶とを有し、
前記駆動基板に、前記各ゲート線に対応するように第１の方向に延伸するストライプ形状の第１遮光パターンと、前記第１遮光パターン上に形成された第１平坦化層と、前記第１平坦化層上に形成され、前記各信号線に対応するように前記第１の方向と直交する第２の方向に延伸するストライプ形状の第２遮光パターンとを含む遮光膜が形成されている
画像表示装置。
【請求項１３】
前記液晶パネルの前記対向基板に、前記第１の方向に延伸するストライプ形状の第１対向側遮光パターンと、前記第１対向側遮光パターン上に形成された第１対向側平坦化層と、前記第１対向側平坦化層上に形成され、前記第２の方向に延伸する第２対向側遮光パターンとを含む対向側遮光膜が形成されている
請求項１２に記載の画像表示装置。
【請求項１４】
光源と、
前記光源から出射された光の偏光方向を規制する偏光子と、
前記偏光子を透過した偏光を変調する液晶パネルと
を有し、
前記液晶パネルが、
マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、
前記駆動基板に対向する対向基板と、
前記駆動基板と前記対向基板との間隙に充填された液晶とを有し、
前記対向基板に、前記各ゲート線に対応するように第１の方向に延伸するストライプ形状の第１対向側遮光パターンと、前記第１対向側遮光パターン上に形成された第１対向側平坦化層と、前記第１対向側平坦化層上に形成され、前記各信号線に対応するように前記第１の方向と直交する第２の方向に延伸するストライプ形状の第２対向側遮光パターンとを含む対向側遮光膜が形成されている
画像表示装置。
【請求項１５】
光源と、
前記光源から出射された光の偏光方向を規制する偏光子と、
前記偏光子を透過した偏光を変調する液晶パネルと、
前記液晶パネルにより変調された光を投射する投射手段と
を有し、
前記液晶パネルが、
マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、
前記駆動基板に対向する対向基板と、
前記駆動基板と前記対向基板との間隙に充填された液晶とを有し、
前記駆動基板に、前記各ゲート線に対応するように第１の方向に延伸するストライプ形状の第１遮光パターンと、前記第１遮光パターン上に形成された第１平坦化層と、前記第１平坦化層上に形成され、前記各信号線に対応するように前記第１の方向と直交する第２の方向に延伸するストライプ形状の第２遮光パターンとを含む遮光膜が形成されている
投射型画像表示装置。
【請求項１６】
前記液晶パネルの前記対向基板に、前記第１の方向に延伸するストライプ形状の第１対向側遮光パターンと、前記第１対向側遮光パターン上に形成された第１対向側平坦化層と、前記第１対向側平坦化層上に形成され、前記第２の方向に延伸する第２対向側遮光パターンとを含む対向側遮光膜が形成されている
請求項１５に記載の投射型画像表示装置。
【請求項１７】
光源と、
前記光源から出射された光の偏光方向を規制する偏光子と、
前記偏光子を透過した偏光を変調する液晶パネルと、
前記液晶パネルにより変調された光を投射する投射手段と
を有し、
前記液晶パネルが、
マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、
前記駆動基板に対向する対向基板と、
前記駆動基板と前記対向基板との間隙に充填された液晶とを有し、
前記対向基板に、前記各ゲート線に対応するように第１の方向に延伸するストライプ形状の第１対向側遮光パターンと、前記第１対向側遮光パターン上に形成された第１対向側平坦化層と、前記第１対向側平坦化層上に形成され、前記各信号線に対応するように前記第１の方向と直交する第２の方向に延伸するストライプ形状の第２対向側遮光パターンとを含む対向側遮光膜が形成されている
投射型画像表示装置。
【手続補正２】
【補正対象書類名】明細書
【補正対象項目名】００１９
【補正方法】変更
【補正の内容】
【００１９】
上記の目的を達成するため、本発明の液晶パネルは、マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、前記駆動基板に対向する対向基板と、前記駆動基板と前記対向基板との間隙に充填された液晶とを有し、前記駆動基板に、前記各ゲート線に対応するように第１の方向に延伸するストライプ形状の第１遮光パターンと、前記第１遮光パターン上に形成された第１平坦化層と、前記第１平坦化層上に形成され、前記各信号線に対応するように前記第１の方向と直交する第２の方向に延伸するストライプ形状の第２遮光パターンとを含む遮光膜が形成されている。
【手続補正３】
【補正対象書類名】明細書
【補正対象項目名】００２０
【補正方法】変更
【補正の内容】
【００２０】
上記の本発明の液晶パネルは、マトリクス状に配列された画素電極と画素電極を駆動する駆動回路であって、水平方向にストライプ状に配列された信号線と、垂直方向にストライプ状に配列されたゲート線と、各画素電極と各信号線と各ゲート線にそれぞれ接続されたスイッチング素子と、各スイッチング素子にそれぞれ接続されたコンデンサー素子とを有する駆動回路が形成された駆動基板と対向基板が対向し、この間隙に充填された液晶を有して構成されている。ここで、駆動基板に、各ゲート線に対応するように第１の方向に延伸するストライプ形状の第１遮光パターンと、第１平坦化層と、各信号線に対応するように第１の方向と直交する第２の方向に延伸するストライプ形状の第２遮光パターンとを含む遮光膜が形成されている。
【手続補正４】
【補正対象書類名】明細書
【補正対象項目名】００２１
【補正方法】変更
【補正の内容】
【００２１】
また、上記の目的を達成するため、本発明の液晶パネルは、マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、前記駆動基板に対向する対向基板と、前記駆動基板と前記対向基板との間隙に充填された液晶とを有し、前記対向基板に、前記各ゲート線に対応するように第１の方向に延伸するストライプ形状の第１対向側遮光パターンと、前記第１対向側遮光パターン上に形成された第１対向側平坦化層と、前記第１対向側平坦化層上に形成され、前記各信号線に対応するように前記第１の方向と直交する第２の方向に延伸するストライプ形状の第２対向側遮光パターンとを含む対向側遮光膜が形成されている。
【手続補正５】
【補正対象書類名】明細書
【補正対象項目名】００２２
【補正方法】変更
【補正の内容】
【００２２】
上記の本発明の液晶パネルは、マトリクス状に配列された画素電極と、画素電極を駆動する駆動回路であって、水平方向にストライプ状に配列された信号線と、垂直方向にストライプ状に配列されたゲート線と、各画素電極と各信号線と各ゲート線にそれぞれ接続されたスイッチング素子と、各スイッチング素子にそれぞれ接続されたコンデンサー素子とを有する駆動回路が形成された駆動基板と対向基板が対向し、この間隙に充填された液晶を有して構成されている。ここで、対向基板に、各ゲート線に対応するように第１の方向に延伸するストライプ形状の第１対向側遮光パターンと、第１対向側平坦化層と、各信号線に対応するように第１の方向と直交する第２の方向に延伸するストライプ形状の第２対向側遮光パターンとを含む対向側遮光膜が積層して形成されている。
【手続補正６】
【補正対象書類名】明細書
【補正対象項目名】００２３
【補正方法】変更
【補正の内容】
【００２３】
また、上記の目的を達成するため、本発明の画像表示装置は、光源と、前記光源から出射された光の偏光方向を規制する偏光子と、前記偏光子を透過した偏光を変調する液晶パネルとを有し、前記液晶パネルが、マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、前記駆動基板に対向する対向基板と、前記駆動基板と前記対向基板との間隙に充填された液晶とを有し、前記駆動基板に、前記各ゲート線に対応するように第１の方向に延伸するストライプ形状の第１遮光パターンと、前記第１遮光パターン上に形成された第１平坦化層と、前記第１平坦化層上に形成され、前記各信号線に対応するように前記第１の方向と直交する第２の方向に延伸するストライプ形状の第２遮光パターンとを含む遮光膜が形成されている。
【手続補正７】
【補正対象書類名】明細書
【補正対象項目名】００２４
【補正方法】変更
【補正の内容】
【００２４】
上記の本発明の画像表示装置は、光源と、光源から出射された光の偏光方向を規制する偏光子と、偏光子を透過した偏光を変調する液晶パネルとを有して構成されている。ここで、液晶パネルは、マトリクス状に配列された画素電極と、画素電極を駆動する駆動回路であって、水平方向にストライプ状に配列された信号線と、垂直方向にストライプ状に配列されたゲート線と、各画素電極と各信号線と各ゲート線にそれぞれ接続されたスイッチング素子と、各スイッチング素子にそれぞれ接続されたコンデンサー素子とを有する駆動回路が形成された駆動基板と対向基板が対向し、この間隙に充填された液晶を有して構成され、駆動基板に、各ゲート線に対応するように第１の方向に延伸するストライプ形状の第１遮光パターンと、第１平坦化層と、各信号線に対応するように第１の方向と直交する第２の方向に延伸するストライプ形状の第２遮光パターンとを含む遮光膜が積層して形成されている。
【手続補正８】
【補正対象書類名】明細書
【補正対象項目名】００２５
【補正方法】変更
【補正の内容】
【００２５】
また、上記の目的を達成するため、本発明の画像表示装置は、光源と、前記光源から出射された光の偏光方向を規制する偏光子と、前記偏光子を透過した偏光を変調する液晶パネルとを有し、前記液晶パネルが、マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、前記駆動基板に対向する対向基板と、前記駆動基板と前記対向基板との間隙に充填された液晶とを有し、前記対向基板に、前記各ゲート線に対応するように第１の方向に延伸するストライプ形状の第１対向側遮光パターンと、前記第１対向側遮光パターン上に形成された第１対向側平坦化層と、前記第１対向側平坦化層上に形成され、前記各信号線に対応するように前記第１の方向と直交する第２の方向に延伸するストライプ形状の第２対向側遮光パターンとを含む対向側遮光膜が形成されている。
【手続補正９】
【補正対象書類名】明細書
【補正対象項目名】００２６
【補正方法】変更
【補正の内容】
【００２６】
上記の本発明の画像表示装置は、光源と、光源から出射された光の偏光方向を規制する偏光子と、偏光子を透過した偏光を変調する液晶パネルとを有して構成されている。ここで、液晶パネルは、マトリクス状に配列された画素電極と、画素電極を駆動する駆動回路であって、水平方向にストライプ状に配列された信号線と、垂直方向にストライプ状に配列されたゲート線と、各画素電極と各信号線と各ゲート線にそれぞれ接続されたスイッチング素子と、各スイッチング素子にそれぞれ接続されたコンデンサー素子とを有する駆動回路が形成された駆動基板と対向基板が対向し、この間隙に充填された液晶を有して構成され、対向基板に、各ゲート線に対応するように第１の方向に延伸するストライプ形状の第１対向側遮光パターンと、第１対向側平坦化層と、各信号線に対応するように第１の方向と直交する第２の方向に延伸するストライプ形状の第２対向側遮光パターンとを含む対向側遮光膜が積層して形成されている。
【手続補正１０】
【補正対象書類名】明細書
【補正対象項目名】００２７
【補正方法】変更
【補正の内容】
【００２７】
また、上記の目的を達成するため、本発明の投射型画像表示装置は、光源と、前記光源から出射された光の偏光方向を規制する偏光子と、前記偏光子を透過した偏光を変調する液晶パネルと、前記液晶パネルにより変調された光を投射する投射手段とを有し、前記液晶パネルが、マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、前記駆動基板に対向する対向基板と、前記駆動基板と前記対向基板との間隙に充填された液晶とを有し、前記駆動基板に、前記各ゲート線に対応するように第１の方向に延伸するストライプ形状の第１遮光パターンと、前記第１遮光パターン上に形成された第１平坦化層と、前記第１平坦化層上に形成され、前記各信号線に対応するように前記第１の方向と直交する第２の方向に延伸するストライプ形状の第２遮光パターンとを含む遮光膜が形成されている。
【手続補正１１】
【補正対象書類名】明細書
【補正対象項目名】００２８
【補正方法】変更
【補正の内容】
【００２８】
上記の本発明の投射型画像表示装置は、光源と、光源から出射された光の偏光方向を規制する偏光子と、偏光子を透過した偏光を変調する液晶パネルと、液晶パネルにより変調された光を投射する投射手段とを有して構成されている。ここで、液晶パネルは、マトリクス状に配列された画素電極と、画素電極を駆動する駆動回路であって、水平方向にストライプ状に配列された信号線と、垂直方向にストライプ状に配列されたゲート線と、各画素電極と各信号線と各ゲート線にそれぞれ接続されたスイッチング素子と、各スイッチング素子にそれぞれ接続されたコンデンサー素子とを有する駆動回路が形成された駆動基板と対向基板が対向し、この間隙に充填された液晶を有して構成され、駆動基板に、各ゲート線に対応するように第１の方向に延伸するストライプ形状の第１遮光パターンと、第１平坦化層と、各信号線に対応するように第１の方向と直交する第２の方向に延伸するストライプ形状の第２遮光パターンとを含む遮光膜が積層して形成されている。
【手続補正１２】
【補正対象書類名】明細書
【補正対象項目名】００２９
【補正方法】変更
【補正の内容】
【００２９】
また、上記の目的を達成するため、本発明の投射型画像表示装置は、光源と、前記光源から出射された光の偏光方向を規制する偏光子と、前記偏光子を透過した偏光を変調する液晶パネルと、前記液晶パネルにより変調された光を投射する投射手段とを有し、前記液晶パネルが、マトリクス状に配列された画素電極と、前記画素電極を駆動する駆動回路であって、水平方向にストライプ状に配列された信号線と、垂直方向にストライプ状に配列されたゲート線と、前記各画素電極と前記各信号線と前記各ゲート線にそれぞれ接続されたスイッチング素子と、前記各スイッチング素子にそれぞれ接続されたコンデンサー素子とを有する駆動回路が形成された駆動基板と、前記駆動基板に対向する対向基板と、前記駆動基板と前記対向基板との間隙に充填された液晶とを有し、前記対向基板に、前記各ゲート線に対応するように第１の方向に延伸するストライプ形状の第１対向側遮光パターンと、前記第１対向側遮光パターン上に形成された第１対向側平坦化層と、前記第１対向側平坦化層上に形成され、前記各信号線に対応するように前記第１の方向と直交する第２の方向に延伸するストライプ形状の第２対向側遮光パターンとを含む対向側遮光膜が形成されている。
【手続補正１３】
【補正対象書類名】明細書
【補正対象項目名】００３０
【補正方法】変更
【補正の内容】
【００３０】
上記の本発明の投射型画像表示装置は、光源と、光源から出射された光の偏光方向を規制する偏光子と、偏光子を透過した偏光を変調する液晶パネルと、液晶パネルにより変調された光を投射する投射手段とを有して構成されている。ここで、液晶パネルは、マトリクス状に配列された画素電極と、画素電極を駆動する駆動回路であって、水平方向にストライプ状に配列された信号線と、垂直方向にストライプ状に配列されたゲート線と、各画素電極と各信号線と各ゲート線にそれぞれ接続されたスイッチング素子と、各スイッチング素子にそれぞれ接続されたコンデンサー素子とを有する駆動回路が形成された駆動基板と対向基板が対向し、この間隙に充填された液晶を有して構成され、対向基板に、各ゲート線に対応するように第１の方向に延伸するストライプ形状の第１対向側遮光パターンと、第１対向側平坦化層と、各信号線に対応するように第１の方向と直交する第２の方向に延伸するストライプ形状の第２対向側遮光パターンとを含む対向側遮光膜が積層して形成されている。